(57)【要約】  高圧ガス放電ランプ２及び前記のようなランプを包囲しているハウジング１と、ハウジング１の壁の透明部９を介してほぼ１つの方向に光を向けるリフレクタ３と有するランプアセンブリである。ハウジング１は実質的に気密であり、冷却手段２１、２２、２３、２４、３０、３１がハウジング１内の空気を移動させるために設けられている。冷却手段２１、２２、２３、２４、３０、３１は、ハウジング１内部に位置されている。前記冷却手段は、好ましくは、ハウジング１内に位置されているファン２１を有する。
2008511955.tif 000002
【特許請求の範囲】
【請求項１】
高圧ガス放電ランプ及び前記のようなランプを包囲しているハウジングと、光を前記ハウジングの壁の透明部分を介してほぼ１つの方向に向けるリフレクタと有するランプアセンブリであって、前記ハウジングは実質的に気密であって、冷却手段が前記ハウジング内の空気を移動させるために設けられている、ランプアセンブリにおいて、前記冷却手段は前記ハウジング内部に位置されていることを特徴とするランプアセンブリ。
【請求項２】
前記冷却手段は、前記ランプのバーナに電流を供給しているのと同じ電気ワイヤを介して通電されていることを特徴とする、請求項１に記載のランプアセンブリ。
【請求項３】
前記ランプは、水銀ガスを含んでいることを特徴とする、請求項１又は２に記載のランプアセンブリ。
【請求項４】
前記冷却手段はファンを有していることを特徴とする、請求項１ないし３の何れか一項に記載のランプアセンブリ。
【請求項５】
前記ランプの１つ以上の部分に向かって空気をガイドするコンジットが、前記ハウジング内に設けられていることを特徴とする、請求項１ないし４の何れか一項に記載のランプアセンブリ。
【請求項６】
気流が、前記ガス放電が生じている前記ランプのバーナの中央部に向けられていることを特徴とする、請求項５に記載のランプアセンブリ。
【請求項７】
前記ランプが、前記ランプのバーナの対向する側において、電流を前記バーナにガイドする２つのつまみを備えており、一方のつまみは前記リフレクタによって包囲されている空間内に位置されている、請求項５又は６に記載のランプアセンブリであって、気流が前記一方のつまみに向けられていることを特徴とする、ランプアセンブリ。
【請求項８】
温度センサが前記ランプの温度を感知するために設けられており、制御手段が、感知された前記温度に依存して、空気の前記のような移動を変化させるために設けられていることを特徴とする、請求項１ないし７の何れか一項に記載のランプアセンブリ。
【請求項９】
前記のようなセンサが、前記バーナから離れて前記バーナの温度を感知し、前記センサは、前記リフレクタ内の孔内に位置されていることを特徴とする、請求項８に記載のランプアセンブリ。
【請求項１０】
前記ハウジングの壁における開口は、特定のガスが通過することができるガスフィルタを備えていることを特徴とする、請求項１ないし９の何れか一項に記載のランプアセンブリ。
【請求項１１】
実質的に気密なハウジング内に位置されている高圧ガス放電ランプであって、前記ハウジングは、光を該ハウジングの壁の透明部を介してほぼ１つの方向に向けるリフレクタを更に含んでいる、高圧ガス放電ランプを冷却する方法であって、前記ハウジング内の空気は、前記ハウジング内に位置されているファンによって移動されることを特徴とする、高圧ガス放電ランプを冷却する方法。
【発明の詳細な説明】
【技術分野】
【０００１】
本発明は、高圧ガス放電ランプ及び前記のようなランプ包囲しているハウジングと、光を前記ハウジングの壁の透明部を介してほぼ１つの方向に向けるためのリフレクタと有するランプアセンブリに関する。
【背景技術】
【０００２】
高圧又は超高圧ガス放電ランプ、特に水銀ランプ、を含む前記のようなランプアセンブリは、プロジェクタ（beamer）又は高性能光源が必要とされる他のアプリケーションにおいて使用されることができる。
【０００３】
前記高圧放電ランプの寿命及び効率は、前記ランプの温度に依存している。前記温度は、高過ぎるべきでもなく低すぎるべきでもなく、好ましくは、所定のレベルに保持されるべきであろう。従って、前記ランプは、例えば、気流を前記ランプに対して吹きつけることにより、又は前記ランプの一部を低い温度を有する他の部分（例えば、前記ランプのハウジングの一部）に熱伝導材料によって接続することにより、多くのアプリケーションにおいて冷却されている。前記他の部分は、冷却リブ又は他の冷却手段を備えていても良い。
【発明の開示】
【発明が解決しようとする課題】
【０００４】
前記ランプが、多かれ少なかれ開いているハウジング内に位置されている場合、前記ハウジングの外部に位置されているファンは、前記ランプの冷却される必要がある部分に渡って空気を吹き込むことができる。しかしながら、前記ランプの実質的な冷却は、前記ランプの周りのハウジングが閉じられている場合であって、前記ハウジング内部の空間への及び前記ハウジング内部の空間からの気流が、制限されている又は阻止すらされている場合、問題になり得る。前記のような閉じられているハウジングは、安全性の理由のために望まれ得るものであり、即ち前記ランプのバーナが損傷した場合に、前記バーナ内のガス、例えば、水銀は、前記ランプアセンブリの周囲（environment）に到達することはできない。
【０００５】
本発明の目的は、この寿命を延長する及びこの効率を改善するために、ハウジング内に位置されている高圧ガス放電ランプの実質的な及び効率的な冷却を提供することにある。
【課題を解決するための手段】
【０００６】
この目的を達成するために、実質的に気密なハウジングを有するランプアセンブリ内に、冷却目的のため、前記ハウジング内の空間内に空気を移動させる手段が設けられる。実質的に気密とは、前記ハウジングが完全に気密であること、限定されたガス流のみが前記ハウジングに入る若しくは前記ハウジングを出ることができること、又は所定のガスが前記ハウジングに入る若しくは前記ハウジングを出ることができ、他のガスは前記ハウジングに入る若しくは前記ハウジングを出ることができないことを意味すると理解されたい。
【０００７】
前記ハウジング内への空気の移動により、前記ランプのバーナからの熱は前記ハウジングの材料に移動されることができ、該材料は、金属のような、熱伝導材料であることが好ましい。冷却リブのような手段は、前記ハウジングの壁の温度を減少するように、前記ハウジングを冷却するために設けられることができ、この結果、例えば、（前記ハウジングの外部における）空気の自由な又は強制された対流により、前記ハウジングの温度を効率的に下げることができる。
【０００８】
好適実施例において、前記ランプは水銀ガスを含んでおり、前記水銀ガスは、前記ランプのバーナが壊れた又は破損した場合、前記ハウジングから漏出することはできない。安全性の理由のため、前記水銀が周囲に到達するのは防止されるのが望ましいとされ得る。
【０００９】
前記空気を移動させる手段は、好ましくは、ファン（空気を移動させる信頼できる又は効率的な手段である）を有する。前記ファンは、ハウジング外部に位置されることができ、前記ハウジング内部の空間からの空気は、前記ファンに向かって吸引され、次いで、再び前記空間内に吹き込まれる。しかしながら、前記ファンは、好ましくは前記ハウジング内に位置され、この結果、小型のランプアセンブリを得る。他の好適実施例において、前記ファンのモータは、前記ハウジング外部に位置されており、前記ファンのインペラは、前記ハウジング内部に位置されている。この結果、前記ファンの前記のような２つの部分は、前記ハウジングの壁によって隔てられている。
【００１０】
好適実施例において、前記ハウジング内部の前記空間は、前記ランプの１つ以上の部分に向かって空気をガイドするコンジットを収容しており、これにより、前記ランプの効率的な冷却が達成されることができる。気流は、前記ガス放電が生じる前記ランプのバルブの中央部に向けられるのが好ましい。前記温度は、この中央部において高く、この結果、前記冷却は最も有効である。前記コンジットは、前記リフレクタ内の小さい孔内に位置されているノズル内で終了することができ、前記ノズルは、前記バルブの前記中央部に向けて気流を供給している。
【００１１】
前記ランプは、電流を前記バルブ内にガイドしている２つのつまみ（pinch）を前記ランプの前記バルブの対向する側に備えることもできる。１つのつまみは、前記リフレクタによって包囲されている空間内に位置されることができる。前記つまみは、金属から作られており、しばしば、良好な熱伝導特性を有する。好適実施例において、気流は前記１つのつまみに向けられる。前記コンジットは、前記リフレクタ内の小さい孔内に位置されているノズル内で終了することができ、前記ノズルは、気流を前記１つのつまみに向けている。
【００１２】
温度センサが、前記ランプの温度を感知するために設けられるのが好ましく、感知された前記温度に依存して、空気の前記移動を変化させるための制御手段が設けられる。好適実施例において、前記のようなセンサは、前記バルブから離れて前記バルブの温度を感知し、前記センサは、前記リフレクタ内の小さい孔内に位置されることができる。
【００１３】
前記冷却の強度は、前記空気を移動させる手段をオン又はオフに切り換えることによって制御されることができるが、前記強度は、前記手段に供給される電力を制御することによっても変化されることができる。前記ランプの温度は、ある所定の温度に又はある所定の温度の近くに保持されることができる。
【００１４】
前記ハウジングは、完全に気密であることができるが、前記ハウジングの壁における開口が、あるガスが通過することができるガスフィルタを備えていることが好ましい。特に、空気が通過することができ、前記ランプのバーナ内のガス、例えば、水銀は、吸収され、この結果、前記水銀が周囲に漏出することはない。
【００１５】
本発明は、実質的に気密なハウジング内部に位置されている高圧ガス放電ランプであって、前記ハウジングが、光の放射を該ハウジングの壁の透明な部分を介してほぼ１つの方向に向けるリフレクタを有しており、前記ハウジング内部の空気が冷却目的のために移動される、高圧ガス放電ランプを冷却する方法にも関する。
【００１６】
上述のランプアセンブリは、好ましくは、店舗照明、家庭照明、ヘッドランプ、アクセント照明、スポット照明、劇場照明、オフィス照明、職場の電飾、自動車のフロント照明、自動車の補助照明、自動車の屋内照明、消費者テレビジョン装置のアプリケーション、光ファイバアプリケーション及び投影システムのアプリケーションの１つ以上において使用されることができる。
【発明を実施するための最良の形態】
【００１７】
本発明は、以下で、単に模式的な表現である図を有する以下の図面を参照することにより、超高圧水銀ガス放電ランプ及び前記のようなランプを包囲している実質的に気密なハウジングを有するランプアセンブリの実施例の記載によって更に説明される。
【００１８】
前記ランプアセンブリの主な構成要素は、図１における模式的な断面図において表されている。ハウジング１は、バーナ２及びリフレクタ３を包囲している。バーナ２は、ガス放電が実質的に生じる中央部４と、中央部４の両側における２つの長い部分５、６とを有している。バーナ２の前記長い部分の一方５は、リフレクタ３の円筒形部分７内に固定されている。要素８は、熱がリフレクタ３からハウジング１に流れることを可能にする熱伝導ブリッジである。バーナ２の他の長い部分６は、リフレクタ３内部の空間内に位置されている。ハウジング１の一部９は透明であり、この結果、バーナ２から到来する及び前記リフレクタ３によって反射された光の放射は、ハウジング１外部で光の放射のビームを形成するように、壁１のこの部分９を通過する。
【００１９】
更に、図１は、ハウジング１の内部の空間内の空気を移動させるためのファン１０を示しており、ハウジング１内で、気流は、それぞれ、矢印１１及び１２によって示されているように、バーナ２の中央部４と長い部分６の端部とに向けられている。バーナ２は、中央部４内で自身の最も高い温度を有しており、この結果、気流１１は効果的な冷却を保証している。長い部分６の端部において、バーナ２に入っている熱伝導金属のつまみワイヤが設けられており、この結果、気流１２は、バーナ２の効果的な冷却も保証している。ファン１０によって生成される気流１１、１２の両方は、それぞれ、中央部４と長い部分６とに連続的に向けられることができる。２つの気流１１、１２の一方を連続的に向けることもでき、更なる冷却が望まれる場合にのみ他方を連続的に向けることもできる。勿論、気流１１、１２の一方又は両方の強度も、バーナ２の温度を所望のレベルに保持するように変化されることもできる。
【００２０】
図２は、前記ランプアセンブリの構成要素を斜視図において示しており、該斜視図において前記ハウジングは存在しない。リフレクタ３は、リフレクタ３を前面プレート１５に押すスプリング１６によって前面プレート１５に着脱可能に接続されている。前面プレート１５は、ハウジング１の壁の一部を形成しており、前記一部は、壁の透明な部分９を有している。前記ランプのバーナ２は、リフレクタ３内の空間内に位置されており、長い部分５の端部のみが図２において見えている。
【００２１】
図２は、ランプのバーナ２に電流をガイドする電気ワイヤ１７を示しており、ワイヤ１８はバーナの長い部分５の前記端部においてつまみ１９に接続されている。電気ワイヤ２０は、電流をファン２１にガイドしている。ファン２１は、圧力チャンバ２２内に空気を吹き込み、加圧された空気は、２つのコンジット２３、２４を介して圧力チャンバ２２を出る。各コンジット２３、２４は、リフレクタ３内の小さい孔に前記空気をガイドし、気流は、前記ランプのバーナ２に向かって吹き込まれる。
【００２２】
図３は、前記ランプアセンブリを断面図で示しており、図２の構成要素は、ハウジング１によって包囲されており、該ハウジング１は、自身の壁の外側に冷却リブ２５を備えている。図３は、前面プレート１５に取り付けられているリフレクタ３を示している。前面プレート１５は、ハウジング１の低い壁の一部である。バーナ２がリフレクタ３内に設けられており、該リフレクタ３内では、バーナ２の長い部分５は、中間要素２６によってリフレクタ３の上部７に固定されている。要素８は、熱伝導性ブリッジを作るように、リフレクタ３の上部７をハウジング１の上側の壁に接続している。
【００２３】
自身の低い側において、バーナ２は長い部分６を備えており、つまみ２７は、長い部分６の端部においてバーナ２に入っている。電流が、電気ワイヤ２８を介してつまみ２７に供給され、ワイヤ２８は、リフレクタ３の壁内の小さい孔を介してリフレクタ３を通過している。電流は、電気ワイヤ１８を介して、バーナ２の長い部分５の上方の端部においてつまみ１９に供給されている。リフレクタ３の内面の形状とバーナ２の中央部４の場所とは、光の放射の適切なビームが、前記ランプアセンブリから出るようにされている。
【００２４】
図３は、ハウジング１内に位置されているファン２１を示している。電気ワイヤ２０は、電流をファン２１に供給している。コンジット２３は、（ファン２１によって加圧されている）空気を、ノズル３０にガイドしており、該ノズル３０は、リフレクタ２の壁における小さい孔内に位置されている。ノズル３０は、気流をバーナ２の中央部４に向けている。コンジット２４は、圧力チャンバ２２（図２参照）からの空気をノズル３１にガイドしており、ノズル３１は、リフレクタ３の壁における小さい孔内に設けられている。ノズル３１は、気流を、つまみ２７が位置されているバーナ２の長い部分６の端部に向けている。２つのノズル３０、３１を使用することにより、バーナ２の効果的な冷却を得ることができる。
【００２５】
更に、図３は、リフレクタ３の壁における小さい孔内に位置されている温度センサ３２を示している。センサ３２は、バーナ２の中央部４の温度を測定することができる。この温度の信号は、電気ワイヤ３４によってプロセッサ３３にガイドされ、感知された前記温度に依存して、ファン２１が、プロセッサ３３によって制御される。バーナ２の前記温度は、ノズル３０を介する気流及び／又はノズル３１を介する気流を変化させることによって、所定のレベルに保持されることができる。
【００２６】
上述の実施例は、単にランプアセンブリの例であり、非常に多くの他の実施例が可能である。
【図面の簡単な説明】
【００２７】
【図１】前記ランプアセンブリの模式図である。
【図２】前記ランプアセンブリの一部の斜視図である。
【図３】前記ランプアセンブリの断面図である。
【図１】
2008511955.tif 000003
【図２】
2008511955.tif 000004
【図３】
2008511955.tif 000005
【国際調査報告】
2008511955.tif 000006
2008511955.tif 000007
2008511955.tif 000008